(57)【要約】      （修正有）【課題】駐車場の係員が目視しやすく、デジタル化にも対応可能な予約証を提供する。【解決手段】シートの片面へ駐車場の予約内容を印刷して車両の前方へ配置することで駐車場の係員が目視可能な予約証２０であって、縦長に配置する全体に対して、最上部へ横書きの予約記号欄２２を配置し、予約記号欄の下部へ入庫予約日時欄２３を配置し、入庫予約日時欄の下部へ出庫予約日時欄２４を配置する。出庫予約日時欄の下部であって全体の下端付近には、予約証に関する予約内容の発行者情報等(たとえば承認者欄２７)を配置する。また、予約記号欄の下方であって、入庫予約日時欄の左右いずれかには、二次元バーコード欄を設ける。【選択図】図２
0003230034.tif 000002
【実用新案登録請求の範囲】
【請求項１】
シートの片面へ駐車場の予約内容を印刷して車両の前方へ配置することで駐車場の係員が目視可能な予約証であって、
縦長に配置する全体に対して、最上部へ横書きの予約記号欄を配置し、
その予約記号欄の下部へ入庫予約日時欄を配置し、
その入庫予約日時欄の下部へ出庫予約日時欄を配置し、
その出庫予約日時欄の下部であって全体の下端付近には、前記の予約証に関する予約内容の発行者情報等を配置することとした予約証。
【請求項２】
前記の予約記号欄の下方であって、前記の入庫予約日時欄の左右いずれかの隣には、二次元バーコード欄を備え、
その二次元バーコード欄は、前記の予約記号欄が示す内容を表示することとした
請求項１に記載の予約証。
【請求項３】
前記の予約記号欄は、濃色の下地に淡色で予約記号を表示することと
請求項１または請求項２のいずれかに記載の予約証。
【請求項４】
前記の入庫予約日時欄、出庫予約日時欄および二次元バーコード欄を含んだ駐車マス用予約データを、前記の予約証における上側に位置させ、
前記の駐車マス用予約データの下側には、前記の予約内容に係る駐車場へ向かう前または向かった後に車両を待機させる場所である待機場の予約データを表示させるための待機場用予約データを表示させることとし、
その待機場用予約データには、当該待機場へ入庫する予定時刻を表示する入庫予約日時欄および当該待機場から出庫する予定時刻を表示する出庫予約日時欄を含むことと
請求項２または請求項３のいずれかに記載の予約証。
【考案の詳細な説明】
【技術分野】
【０００１】
本考案は、駐車場を予約して利用する人が車両のダッシュボードに載置して用いる、予約内容表示装置に関する。
【背景技術】
【０００２】
サービスを受けることを欲する者は、サービス提供者がサービスを提供してくれる場所へ出向き、そのサービスを受ける。そのサービスを所定の日時に受けたいという場合に、他者が当該日時にサービスを受けていたら受けられなくなってしまう。そのため、サービスを所定の日時に受けたいという場合に「予約」をする、予約を受け付ける、というのがサービス業では一般的である。
【０００３】
たとえば、特許文献１には、教習場内の予約システムが開示されている。すなわち、教習場における予約券や配車券へ広告画像を嵌め込むことができる技術である。
【０００４】
また、特許文献２には、有料道路の利用に際して、ＥＴＣ車載機を搭載していない車両であっても、有料道路の料金所を円滑に通過できるシステムが開示されている。すなわち、有料道路の利用料金を予め精算しておくか別払いの手続を済ませておき、通行予約証を提示することで料金所を円滑に通過できるようにする技術である。
【０００５】
ある駐車場の駐車マスを所定の日時に利用したい、という場合には、駐車場の予約システムを用いる。駐車場の予約システムとは、氏名や車両番号（ナンバープレート）などの情報にて予め会員登録をすることでＩＤを発行し、そのＩＤを使って駐車場の駐車マスいくつを所定の日時に入庫させ、所定の日時に出庫させるといった予約データを、予約サーバへ送信し、登録するのである。そして、駐車場への入庫の際には、駐車場の入口に設置したカメラにて車両番号を読み取り、予約データと照合することで予約の有無を確認し、予約がある場合には入庫ゲートを開放することで入庫を許諾するのである。
【０００６】
駐車場によっては、トラックなどの輸送車両、バスなどの旅客車両など、大型車両用の駐車マスを予約できるシステムも存在する。
ところが、バス会社におけるバス車両の運営は、予約を遂行する車両を予約の直前まで特定できない、という実態がある。すなわち、バス車両はバス運転者に紐付けられているのが一般的であり、且つバス運転者は当日の体調などに応じて勤務態勢が決まる。加えて、バス車両の整備状況も毎日異なる。このため、予定していた運転手が自らの使うバス車両にて予約を遂行することができず、別の運転手が予約遂行に向かう、ということが頻繁に起きている。
【０００７】
以上のようなバス会社の実態から、車両番号による車両特定データを用いた駐車マス予約システムの運用では、「予約証」を用いることが多い。車両番号を予約時に登録するのではなく、バス会社名や旅客の団体名などを用いることで予約者を特定する。そして、予約内容を所定の書式で印刷し、予約日時に予約対象であった駐車場へ向かい、印刷された予約証を駐車場の係員が確認することで、入庫ゲートを開放するのである。
【０００８】
図１（ａ）には、印刷された予約証の一例を示している。また、図１（ｂ）には、印刷された予約証をバスのダッシュボードへおいた状態を概念的に示している。
【０００９】
図１（ａ）に示すように、予約証１０は、横長のレイアウトであり、上の一列に利用証の名称欄１３を配置している。そして、その利用証の名称欄１３の下には、利用証の整理番号１２を、更にその下には、承認者欄１４を配置し、下端に予約番号１１を配置している。
【００１０】
横長のレイアウトにて印刷された予約証１０は、ダッシュボードに置いてバス３０のフロントガラス３１へ立てかけるように配置すれば、横長であるために安定する。この場所に置くことで、バス３０の正面にいる駐車場の係員から見えやすいようにする。
【先行技術文献】
【特許文献】
【００１１】
【特許文献１】特開２００２−２５９７８０号公報
【特許文献２】特開２００４−１７８４１５号公報
【考案の概要】
【考案が解決しようとする課題】
【００１２】
印刷された予約証３０が置かれるバス３０のダッシュボード上面高さは、地上からの高さが約１メートル以上ある。そのため、予約証１０の下端に印刷された予約番号欄１１が駐車場の係員の目線から見えにくい場合がある。
係員が予約番号１１を目視できない場合、利用証の整理番号１２にて照合できる台帳が必要となってしまう。そのため、係員は手元に台帳を持っていなければならず、照合作業も必要となり、煩わしい。
【００１３】
また、図示は省略しているが、予約した入庫時刻（および日付）を予約証へ印刷している場合もある。しかし、そうした予約証は、予約の入庫時刻などの表示が予約者による確認のための印刷であり、係員が見ることを想定していない。そのため、小さく印刷されており、係員が目視しにくい。
【００１４】
図１（ａ）に例示した予約証１０は、白い紙へ黒い文字で印刷しているが、それが普通である。しかし、他の印刷物（たとえば、当該バスの観光コースやスケジュール表）も同じように白い紙へ黒い文字で印刷していることが多い。そのため、係員が目視しにくい。
【００１５】
近年の電子化技術、たとえば文字（数字を含む）をカメラで撮影してデジタル化処理する、といった技術の応用や、デジタル化処理の不具合を見据えた従来（アナログ）技術との併用にも、予約証も対応すべきとも考えられる。
【００１６】
本考案が解決しようとする課題は、駐車場の係員が目視しやすい予約証、デジタル化にも対応可能な予約証を提供することにある。
【課題を解決するための手段】
【００１７】
（第一の考案）
本願における第一の考案は、シートの片面へ駐車場の予約内容を印刷して車両の前方へ配置することで駐車場の係員が目視可能な予約証(20)の構造（レイアウト）に係る。
縦長に配置する全体に対して、最上部へ横書きの予約記号欄(22)を配置し、
その予約記号欄(22)の下部へ入庫予約日時欄(23)を配置し、
その入庫予約日時欄(23)の下部へ出庫予約日時欄(24)を配置し、
その出庫予約日時欄(24)の下部であって全体の下端付近には、前記の予約証に関する予約内容の発行者情報等(たとえば承認者欄27)を配置することとした予約証(20)である（図２参照）。
【００１８】
（用語説明）
「シート」は、紙が一般的である。たとえば、熱可塑性樹脂のシートでもよい。また、繰り返しの使用が可能な電子ペーパー、タブレット型の端末でもよい。
「予約記号欄(22)」における「記号」は、数字が多いが、アルファベットなどの文字、「△」、「○」などの記号を含んでも良い。また、「欄」とは、囲い線、仕切り線、背景色による区別などによって、他の領域から画されていることを意味する。
【００１９】
（作用）
予約証(20)を準備したら、予約を遂行（予約した駐車場へ駐車）する車両のフロントガラスに対して、予約記号欄(22)が上になるように載置する。
駐車場へ入庫する際、予約記号欄(23)が最も上にあるので、駐車場の係員が目視する場合でも、カメラ撮影によるデジタル化処理の場合でも、確認しやすい。
【００２０】
入庫予約日時欄(23)は、予約記号欄(23)の下に配置されている（何かに隠れてしまいにくい）ので、駐車場の係員が目視する場合、確認しやすい。
予約内容の発行者情報等(承認者欄27)は、予約証(20)の最下部へ配置されており、駐車場の係員が目視しにくい。しかし、全ての予約証(20)に対して確認する必要がある情報ではないので、通常の業務に支障はない。
【００２１】
（バリエーション１）
本願考案に係る予約証(20)は、以下のように形成してもよい。
すなわち、前記の予約記号欄(22)の下方であって、前記の入庫予約日時欄(23)の左右いずれかの隣には、二次元バーコード欄(25)を備え、
その二次元バーコード欄(25)は、前記の予約記号欄(22)が示す内容を表示することとするのである（図２参照）。
【００２２】
（作用）
二次元バーコード欄(25)を存在させることにより、予約記号欄(23)の目視読み取りやカメラによる読み取りと相まって、予約内容の照合のデジタル化、省力化に寄与する。
二次元バーコード欄(25)は、前記の入庫予約日時欄(23)と同じ高さに位置するので、確認（またはデジタル化処理のための読み取り）に支障が出にくい。
【００２３】
（バリエーション２）
本願考案に係る予約証(20)は、以下のように形成してもよい。
すなわち、前記の予約記号欄(22)は、濃色の下地に淡色で予約記号を表示することとするのである（図２参照）。
【００２４】
「濃色」とは、代表的には「黒色」、「淡色」とは、代表的には「白色」である。前記の黒色および淡色であれば、白黒印刷が可能である。濃色に紺色、淡色に薄黄色などを採用することとしても良い。
【００２５】
（作用）
白地に文字や記号を黒く印字した一般的な印刷物と、見た目が異なるので、他の書類と紛れにくく、区別しやすい。
【００２６】
（バリエーション３）
本願考案に係る予約証(20)は、以下のように形成してもよい。
すなわち、前記の入庫予約日時欄(23)、出庫予約日時欄(24)および二次元バーコード欄(25)を含んだ駐車マス用予約データ(21)を、前記の予約証(20)における上側に位置させ、
前記の駐車マス用予約データ(21)の下側には、前記の予約内容に係る駐車場へ向かう前または向かった後に車両を待機させる場所である待機場の予約データを表示させるための待機場用予約データ(26)を表示させることとし、
その待機場用予約データ(26)には、当該待機場へ入庫する予定時刻を表示する入庫予約日時欄(23)および当該待機場から出庫する予定時刻を表示する出庫予約日時欄(24)を含むこととする（図３参照）。
【００２７】
「予約内容に係る駐車場へ向かう前に車両を待機させる場所」とは、たとえば、バス駐留場、バス待機場と呼ばれる空間である。複数のバス会社が共同で運営しているような場合があり、予約をしておくことで円滑な運営に寄与する。
「予約内容に係る駐車場へ向かった後に車両を待機させる場所」とは、たとえば、乗客を降ろす場所として確保されている降車場である。京都駅のように多数の交通機関の要所となっている場所では、降車場も混雑する時間帯や季節があるので、予約をしておくことで円滑な運営に寄与する。
【００２８】
（作用）
待機場を予約でき、その待機場でも予約証(20)を使うことができる。待機場と予約に係る駐車場とは連続して（一般的には同じ日に）使うので、情報が一括管理できて便利である。
【考案の効果】
【００２９】
第一の考案によれば、駐車場の係員が目視しやすい予約証、デジタル化にも対応可能な予約証を提供することができた。
【図面の簡単な説明】
【００３０】
【図１】（ａ）は、従来の駐車場の予約証のレイアウトを示す。（ｂ）は、（ａ）に示した予約証をバスのフロントに配置した状態を概念的に示す。
【図２】本考案に係る第一の実施形態を示すレイアウトである。
【図３】本考案に係る第二の実施形態を示すレイアウトである。
【図４】本考案に係る予約証をバスのフロントに配置した状態を示した概念図である。
【考案を実施するための形態】
【００３１】
以下、本考案を図面および実施形態に基づいて説明する。ここで使用する図面は、図２から図４である
【００３２】
（図２）
図２に示すのは、Ａ４サイズの紙シートの片面へ駐車場の予約内容を印刷して車両の前方へ配置することで駐車場の係員が目視可能な予約証２０の構造（レイアウト）である。
縦長に配置する全体に対して、最上部へ横書きの予約記号欄２２を配置する。縦長とするのは、高さ方向の寸法を稼ぐことによって、予約記号欄２２を駐車場の係員から見やすくするためである。
【００３３】
予約記号欄２２は、図示例では予約記号を８桁の数字（ゼロのみ）のみで示しているが、予約記号にはアルファベットなどの文字、「△」、「○」などの記号を含んでも良い。
また、予約記号欄２２は、黒色の下地に白い文字にて、予約記号を示している。下地に濃色を、予約記号に淡色を採用することで、他の印刷物との区別をしやすくしている。車両のダッシュボードには、様々な書類が並べられていることがあり、駐車場の係員から見つけやすくするためである。
【００３４】
予約記号欄２２の下部には、入庫予約日時欄２３を、その入庫予約日時欄２３の下部へ出庫予約日時欄２４を、それぞれ配置している。入庫予約日時欄２３、出庫予約日時欄２４とも、白地に黒い文字で入出庫の予約日を、黒地に白い文字で入出庫の予約時刻を表示している。
また、入庫予約日時欄２３および出庫予約日時欄２４の間には、下向きの三角を配置することで、入庫と出庫を視覚イメージで把握しやすくしている。
【００３５】
前記の予約記号欄２２の下方であって、前記の入庫予約日時欄２３の右隣には、二次元バーコード欄２５を備えており、その二次元バーコード欄２５は、前記の予約記号欄２２が示す内容を表示（図中では「駐」の文字を表示）することとしている。
この二次元バーコード欄２５は、図４に示すような予約証用カメラ４０にて読み取ることで、予約の照合作業を自動で実施することに寄与する。
【００３６】
予約証２０における上半分は、駐車マス用予約データ２１を表示し、その駐車マス用予約データ２１の下方では待機場用予約データ２６を表示することとしている。待機場用予約データ２６については、図２においては使用していないために空欄としており、図３を用いて後述する。
【００３７】
待機場用予約データ２６の下方、すなわち、予約証３０全体の下端付近には、予約証に関する予約内容の発行者情報等、この図では承認者欄２７を配置することとしている。こうした承認者欄２７は、偽物ではないという可能性を高めるが、偽物である確率は極めて低い。
予約証２０の最下部へ配置されており、駐車場の係員が目視しにくいが、全ての予約証２０に対して確認の必要がある情報ではないので、通常の業務に支障はない。
【００３８】
（図３）
図３では、待機場用予約データ２６について説明する。この図３に示す予約証２０は、駐車マス用予約データ２１の欄を空欄としているが、駐車マスの予約をしていない一方、待機場の予約をしている場合の予約証２０Ａである。図２に示した実施形態と異なる予約証２０であることを示すためもあって、予約記号欄が「１６９２９３２０」という数字が入っており、「００００００００」とは異なる。
【００３９】
この実施形態に示す予約証２０Ａでは、駐車マス用予約データ２１の下方に待機場用予約データ２６を表示している。この待機場用予約データ２６もまた、入庫予約日時欄２３および出庫予約日時欄２４、そして二次元バーコード欄２５からなる。
待機場用予約データ２６とは、予約内容に係る駐車場へ向かう前に車両を待機させる場所である待機場、または予約内容に係る駐車場に向かった後に車両を待機させる場所である待機場の予約データである。この実施形態では、駐車場を予約していないが待機場の予約をしている予約証２０Ａであるといえる。
【００４０】
待機場は、一般的に駐車スペースに余裕があったり、無料で使用できたりと、駐車所よりも厳格な運用が必要ない。また、予約内容に係る駐車場に向かった後に車両を待機させる場所、すなわち降車場は、乗客が乗車する乗車場よりも駐車している時間が一般的に短いので、混雑も大きくない。
そのため、待機場の係員にとって、入庫予約日時欄２３および出庫予約日時欄２４が、駐車マス用予約データ２１のそれらよりも見にくくても、さほど問題とならない。
【００４１】
（図４）
図４は、図２に示した予約証２０を、実際のバス３０のフロントガラス３１へ載置し、予約していた駐車場へ入庫してきた場合を概念的に示している。
【００４２】
予約証用カメラ４０は、予約データとの照合というデジタルデータ処理を実行するために二次元バーコード欄２５を読み取る。予約証記号欄２２の予約記号をも同時に読み取り、データ補完をすることとしても良い。
【００４３】
なお、図２に示した予約証を、バスの乗客が降りる降車場の予約にのみ用いることも可能である。
【００４４】
前述してきた実施形態によれば、駐車場の係員が目視しやすく、デジタル化にも対応可能な予約証２０，２０Ａを提供することができた。
【産業上の利用可能性】
【００４５】
本考案は、印刷業、駐車場の運営サービス業、駐車場に関わるデータを扱うデータサービス業、などにおいて、利用可能性を有する。
【符号の説明】
【００４６】
１０；予約証
１１；予約記号欄                  １２；予約証の整理記号
１３；予約記号欄                  １４；承認者欄
２０；予約証                     ２０Ａ；予約証（待機場用予約データの予約証）
２１；駐車マス用予約データ        ２２；予約記号欄
２３；入庫予約時刻データ          ２４；出庫予約時刻データ
２５；二次元バーコード欄          ２６；待機場用予約データ
２７；承認者欄
３０；バス                         ３１；フロントガラス
４０；予約証用カメラ
【図１】
0003230034.tif 000003
【図２】
0003230034.tif 000004
【図３】
0003230034.tif 000005
【図４】
0003230034.tif 000006
【手続補正書】
【提出日】令和2年10月19日(2020.10.19)
【手続補正２】
【補正対象書類名】明細書
【補正対象項目名】０００１
【補正方法】変更
【補正の内容】
【０００１】
本考案は、駐車場を予約して利用する人が車両のダッシュボードに載置して用いる、予約証に関する。